(57)【要約】【課題】吸着熱交換型エレメントを低い運転コストでかつ効率的に吸着したり再生したりできる空調システムを提供すること。【解決手段】空調システム１は、外部３から各吸着熱交換型エレメント１０Ａ、１０Ｂの吸着層１１に至る第１給気流路２０Ａ、２０Ｂと、各吸着熱交換型エレメント１０Ａ、１０Ｂの吸着層１１から室内２に至る第２給気流路３０Ａ、３０Ｂと、室内２から各吸着熱交換型エレメント１０Ａ、１０Ｂの放熱層１２に至る第１排気流路４０Ａ、４０Ｂと、吸着熱交換型エレメント１０Ａ、１０Ｂのどちらかの放熱層１２から、残る吸着熱交換型エレメント１０Ａ、１０Ｂの吸着層１１に至る第２排気流路５０Ａ、５０Ｂと、各吸着熱交換型エレメント１０Ａ、１０Ｂの吸着層１１から外部３に至る第３排気流路６０Ａ、６０Ｂと、を備える。【選択図】図１
2016053448.tif 000002
【特許請求の範囲】
【請求項１】
吸着剤を担持する吸着層と、当該吸着層で発生した熱を放熱する放熱層と、が交互に積層されて構成されることを特徴とする吸着熱交換型エレメント。
【請求項２】
一対の請求項１に記載の吸着熱交換型エレメントを用いて、
外部から前記各吸着熱交換型エレメントの吸着層の給気口に至る第１給気流路と、
前記各吸着熱交換型エレメントの吸着層の排気口から室内に至る第２給気流路と、
前記室内から前記各吸着熱交換型エレメントの放熱層の給気口に至る第１排気流路と、
前記一方の吸着熱交換型エレメントの放熱層の排気口から、前記他方の吸着熱交換型エレメントの吸着層の給気口に至るとともに、前記他方の吸着熱交換型エレメントの放熱層の排気口から、前記一方の吸着熱交換型エレメントの吸着層の給気口に至る第２排気流路と、
前記各吸着熱交換型エレメントの吸着層の排気口から外部に至る第３排気流路と、を備えることを特徴とする空調システム。
【請求項３】
前記第１給気流路を通る空気と、前記第１排気流路を通る空気と、の間で熱交換する熱交換器をさらに備えることを特徴とする請求項２に記載の空調システム。
【発明の詳細な説明】
【技術分野】
【０００１】
本発明は、例えば、建物の室内の空気を吸着熱交換型エレメントで除湿する空調システムに関する。
【背景技術】
【０００２】
従来より、空調機による除湿は、冷却除湿方式および吸着除湿方式がある。このうち、吸着除湿方式は、吸着剤を用いて除湿を行う方式であり、除湿および再生の二段階による運転を行う。
除湿段階では、室内の空気を空調機内の吸着剤に通過させることで、この空気中の水分を吸着剤に吸着させて、空気を除湿する。
【０００３】
ここで、除湿段階では、吸着剤の吸湿力が限界に達して除湿能力が低下するため、再生段階にて吸着剤を再生して除湿能力を回復させる。すなわち、再生段階では、相対湿度の低い暖かい空気を吸着剤に通過させることで、吸着剤に吸着した水分を空気に移動させて排出させる。
【０００４】
このように、再生段階では暖かい空気が必要となるため、太陽熱を利用して空気を昇温して暖める方法が提案されている（非特許文献１参照）。また、工場などの生産プロセスで生じる排熱や、燃料電池やコージェネレーションの発電に伴う排熱を利用する方法もある。
具体的には、非特許文献１に示された方法では、平屋建ての建物において、屋根面に集熱パネルを設け、天井裏付近に２台のデシカント空調機を設置する。
【０００５】
除湿段階では、各デシカント空調機は、外部から取り入れた外気を除湿し、この除湿した空気を室内に吹き出す。一方、再生段階では、各空調機は、太陽熱や排熱で昇温した空気を取り入れて、この空気により空調機内の吸着剤の再生を行う。
【先行技術文献】
【非特許文献】
【０００６】
【非特許文献１】空気集熱式ソーラー除湿涼房システムの研究開発、日本太陽エネルギー学会／風力エネルギー協会講演論文集(RE2006 JAPAN DAY)、pp.309-312、2006.10
【発明の概要】
【発明が解決しようとする課題】
【０００７】
しかしながら、再生段階のデシカント空調機に供給する空気を太陽熱や排熱を利用して昇温する場合に、十分に昇温できず、吸着剤の再生に時間がかかる場合や十分に再生できない場合があった。
そこで、太陽熱に加えて、熱源機器に接続された加熱コイルなどを利用して、再生段階のデシカント空調機に供給する空気をさらに昇温することが考えられるが、このようにすると、電気代やガス代などの運転コストが増大する、という問題があった。
また吸着剤による除湿に伴って発生する吸着熱で、除湿された空気が昇温するため、チラーなどに接続された冷却コイルなどを利用して、室内に吹き出す前に冷却することが考えられるが、このようにすると、電気代などの運転コストが増大する、という問題があった。
【０００８】
本発明は、低い運転コストでかつ効率的に吸着したり再生したりできる吸着熱交換型エレメントおよび空調システムとして提供することを目的とする。
【課題を解決するための手段】
【０００９】
請求項１に記載の吸着熱交換型エレメント（例えば、後述の吸着熱交換型エレメント１０Ａ、１０Ｂ）は、吸着剤を担持する吸着層（例えば、後述の吸着層１１）と、当該吸着層で発生した熱を放熱する放熱層（例えば、後述の放熱層１２）と、が交互に積層されて構成されることを特徴とする。
【００１０】
請求項２に記載の空調システム（例えば、後述の空調システム１）は、一対の請求項１に記載の吸着熱交換型エレメントを用いて、外部（例えば、後述の外部３）から前記各吸着熱交換型エレメントの吸着層の給気口（例えば、後述の給気口１１１）に至る第１給気流路（例えば、後述の第１給気流路２０Ａ、２０Ｂ）と、前記各吸着熱交換型エレメントの吸着層の排気口（例えば、後述の排気口１１２）から室内に至る第２給気流路（例えば、後述の第２給気流路３０Ａ、３０Ｂ）と、前記室内から前記各吸着熱交換型エレメントの放熱層の給気口に至る第１排気流路（例えば、後述の第１排気流路４０Ａ、４０Ｂ）と、前記一方の吸着熱交換型エレメントの放熱層の排気口から、前記他方の吸着熱交換型エレメントの吸着層の給気口に至るとともに、前記他方の吸着熱交換型エレメントの放熱層の排気口から、前記一方の吸着熱交換型エレメントの吸着層の給気口に至る第２排気流路（例えば、後述の第２排気流路５０Ａ、５０Ｂ）と、前記各吸着熱交換型エレメントの吸着層の排気口から外部に至る第３排気流路（例えば、後述の第３排気流路６０Ａ、６０Ｂ）と、を備えることを特徴とする。
【００１１】
本発明では、例えば、前記第１給気流路と前記第２排気流路を切り替える一対の第１切替弁（例えば、後述の切替弁２４Ａ、２４Ｂ）と、前記第２給気流路と前記第３排気流路を切り替える一対の第２切替弁（例えば、後述の切替弁３１Ａ、３１Ｂ）と、をさらに備えてもよい。
【００１２】
この発明によれば、空調システムは、一方の吸着熱交換型エレメントを除湿段階とし、他方の吸着熱交換型エレメントを再生段階とする場合、以下のように動作する。
【００１３】
各第１切替弁を操作して、一方の吸着熱交換型エレメントについては、第１給気流路を選択し、他方の吸着熱交換型エレメントについては、第２排気流路を選択しておく。
また、各第２切替弁を操作して、一方の吸着熱交換型エレメントについては、第２給気流路を選択し、他方の吸着熱交換型エレメントについては、第３排気流路を選択しておく。
【００１４】
外気は、第１給気流路を通って、一方の吸着熱交換型エレメントの吸着層の給気口に到達する。その後、この空気は、吸着層にて除湿され、給気流路を通って、室内に供給される。
一方、室内の空気は、第１排気流路を通って、一方の吸着熱交換型エレメントの放熱層の給気口に至る。この空気は、放熱層にて、吸着層で発生した熱を吸熱して暖められ、その後、第２排気流路を通って、他方の吸着熱交換型エレメントの吸着層の給気口に至る。この暖められた空気は、他方の吸着熱交換型エレメントの吸着層にて、吸着した水分を回収し、その後、第３排気流路を通って、外部に排出される。
【００１５】
このように、一方の吸着熱交換型エレメントでは、吸着層で吸湿して除湿するため、放熱層から排熱される。そこで、この排熱を利用して空気を暖めて、他方の吸着熱交換型エレメントの吸着層の再生に利用する。
【００１６】
また、空調システムは、一方の吸着熱交換型エレメントを再生段階とし、他方の吸着熱交換型エレメントを除湿段階とする場合、以下のように動作する。
【００１７】
各第１切替弁を操作して、一方の吸着熱交換型エレメントについては、第２排気流路を選択し、他方の吸着熱交換型エレメントについては、第１給気流路を選択しておく。
また、各第２切替弁を操作して、一方の吸着熱交換型エレメントについては、第３排気流路を選択し、他方の吸着熱交換型エレメントについては、第２給気流路を選択しておく。
【００１８】
外気は、第１給気流路を通って、他方の吸着熱交換型エレメントの吸着層の給気口に到達する。その後、この空気は、吸着層にて除湿され、給気流路を通って、室内に供給される。
一方、室内の空気は、第１排気流路を通って、他方の吸着熱交換型エレメントの放熱層の給気口に至る。この空気は、放熱層にて、吸着層で発生した熱を吸熱して暖められ、その後、第２排気流路を通って、一方の吸着熱交換型エレメントの吸着層の給気口に至る。この暖められた空気は、一方の吸着熱交換型エレメントの吸着層にて、吸着した水分を回収し、その後、第３排気流路を通って、外部に排出される。
【００１９】
このように、他方の吸着熱交換型エレメントでは、吸着層で吸湿して除湿するため、放熱層から排熱される。そこで、この排熱を利用して空気を暖めて、一方の吸着熱交換型エレメントの吸着層の再生に利用する。
【００２０】
以上のように、どちらかの吸着熱交換型エレメントの放熱層の排熱を、残る吸着熱交換型エレメントの吸着層の再生に利用するので、加熱コイルなどの熱源機器の出力や稼働時間を削減できるから、吸着熱交換型エレメントを低い運転コストでかつ効率的に吸着したり再生したりできる。また、吸着層で発生する吸着熱を放熱層で排熱するため、室内に吹き出す空気の温度を低減することができる。よって、外気を冷却するための冷却コイルの出力や稼働時間を削減できるから、運転コストを削減できる。
【００２１】
請求項３に記載の空調システムは、前記第１給気流路を通る空気と、前記第１排気流路を通る空気と、の間で熱交換する熱交換器をさらに備えることを特徴とする。
【００２２】
この発明によれば、熱交換器にて、第１給気流路を通る外気と、第１排気流路を通る空気つまり室内から排出される空気と、で熱交換することで、外気を冷却した。よって、外気を冷却するための冷却コイルの出力や稼働時間を削減できるから、運転コストをさらに削減できる。
【発明の効果】
【００２３】
本発明によれば、どちらかの吸着熱交換型エレメントの放熱層の排熱を、残る吸着熱交換型エレメントの吸着層の再生に利用するので、加熱コイルなどの熱源機器の出力や稼働時間を削減できるから、吸着熱交換型エレメントを低い運転コストでかつ効率的に吸着したり再生したりできる。
【図面の簡単な説明】
【００２４】
【図１】本発明の一実施形態に係る空調システムの構成を示す模式図である。
【図２】前記実施形態に係る吸着熱交換型エレメントの構成を示す模式図である。
【図３】前記実施形態に係る空調システムの動作を説明するための模式図（その１）である。
【図４】前記実施形態に係る空調システムの動作を説明するための模式図（その２）である。
【発明を実施するための形態】
【００２５】
以下、本発明の一実施形態について、図面を参照しながら説明する。
図１は、本発明の一実施形態に係る空調システム１の構成を示す模式図である。
空調システム１は、一対の吸着熱交換型エレメント１０Ａ、１０Ｂで室内２を除湿するものである。
【００２６】
図２は、吸着熱交換型エレメント１０Ａ、１０Ｂの構成を示す模式図である。
吸着熱交換型エレメント１０Ａ、１０Ｂは、それぞれ、吸着剤を担持する吸着層１１と、この吸着層１１で発生した熱を放熱する放熱層１２と、が交互に積層されて構成される。
吸着層１１および放熱層１２は、それぞれ、ハニカム構造の矩形平板状である。吸着層１１のハニカム構造の長さ方向と、放熱層１２のハニカム構造の長さ方向とは、互いに直交している。
【００２７】
吸着層１１は、給気口１１１および排気口１１２を備える。つまり、吸着層１１を構成するハニカム構造の長さ方向一端側は、給気口１１１であり、他端側は、排気口１１２となっている。
【００２８】
この吸着層１１は、吸着剤を担持しており、具体的には、吸着剤を含んだ素材で形成される。吸着剤としては、例えば、高分子吸着剤やゼオライトが挙げられる。
水溶性の高分子吸着剤を用いた場合、吸着層１１は例えば紙を基材とし、この紙を高分子吸着剤の水溶液に例えば含浸することにより、吸着層１１に吸着剤を担持させる。
【００２９】
この吸着層１１では、給気口１１１から湿った空気が流入すると、吸着剤によりこの流入した空気に含まれる水分を吸着して除湿し、この除湿された空気は、排気口１１２から排出される。
また、吸着層１１は、給気口１１１から相対湿度の低い暖かい空気が流入すると、この流入した空気は、吸着剤に含まれる水分を回収して、吸着剤を再生し、排気口１１２から排出される。
【００３０】
放熱層１２は、給気口１２１および排気口１２２を備える。つまり、放熱層１２を構成するハニカム構造の長さ方向一端側は、給気口１２１であり、他端側は、排気口１２２となっている。
この放熱層１２の吸着層１１に当接する部分は、例えばポリプロピレンシートのように、防湿性を有する素材で形成される。
【００３１】
吸着層１１で水分を吸着すると熱が発生し、放熱層１２は、この吸着層１１で生じた熱を回収する。そして、給気口１２１から空気が流入すると、この流入した空気は放熱層１２と熱交換して、排気口１２２から排出される。
【００３２】
図１に戻って、空調システム１は、一対の吸着熱交換型エレメント１０Ａ、１０Ｂと、第１給気流路２０Ａ、２０Ｂと、第２給気流路３０Ａ、３０Ｂと、第１排気流路４０Ａ、４０Ｂと、第２排気流路５０Ａ、５０Ｂと、第３排気流路６０Ａ、６０Ｂと、を備える。
【００３３】
第１給気流路２０Ａ、２０Ｂは、外部３から各吸着熱交換型エレメント１０Ａ、１０Ｂの吸着層１１の給気口１１１に至る流路である。
【００３４】
具体的には、第１給気流路２０Ａ、２０Ｂは、送風ファン２１と、顕熱交換器２２と、切替弁２３と、第１切替弁としての切替弁２４Ａ、２４Ｂと、送風ファン２１から顕熱交換器２２に至るダクト２５と、顕熱交換器２２から切替弁２３に至るダクト２６と、切替弁２３から切替弁２４Ａ、２４Ｂに至るダクト２７Ａ、２７Ｂと、切替弁２４Ａ、２４Ｂから各吸着熱交換型エレメント１０Ａ、１０Ｂのそれぞれの吸着層１１の給気口１１１に至るダクト２８Ａ、２８Ｂと、を備える。
【００３５】
顕熱交換器２２は、ダクト２５を通って外部３から流入する空気と、後述のダクト４３を通って室内２から流入する空気と、で熱交換を行う。
切替弁２３は、ダクト２６を、ダクト２７Ａまたはダクト２７Ｂに選択的に接続する。切替弁２４Ａは、ダクト２７Ａまたは後述のダクト５７Ａを、ダクト２８Ａに選択的に接続する。切替弁２４Ｂは、ダクト２７Ｂまたは後述のダクト５７Ｂを、ダクト２８Ｂに選択的に接続する。
【００３６】
第１給気流路２０Ａは、外部３から、送風ファン２１、ダクト２５、顕熱交換器２２、ダクト２６、切替弁２３、ダクト２７Ａ、切替弁２４Ａ、およびダクト２８Ａを通って、吸着熱交換型エレメント１０Ａの吸着層１１の給気口１１１に至る。
第１給気流路２０Ｂは、外部３から、送風ファン２１、ダクト２５、顕熱交換器２２、ダクト２６、切替弁２３、ダクト２７Ｂ、切替弁２４Ｂ、およびダクト２８Ｂを通って、吸着熱交換型エレメント１０Ｂの吸着層１１の給気口１１１に至る。
【００３７】
第２給気流路３０Ａ、３０Ｂは、各吸着熱交換型エレメント１０Ａ、１０Ｂの吸着層１１の排気口１１２から室内２に至る流路である。
具体的には、第２給気流路３０Ａ、３０Ｂは、第２切替弁としての切替弁３１Ａ、３１Ｂと、冷却コイル３２と、各吸着熱交換型エレメント１０Ａ、１０Ｂのそれぞれの吸着層１１の排気口１１２から切替弁３１Ａ、３１Ｂに至るダクト３３Ａ、３３Ｂと、切替弁３１Ａ、３１Ｂから合流して冷却コイル３２に至るダクト３４Ａ、３４Ｂと、を備える。
【００３８】
切替弁３１Ａは、ダクト３３Ａを、ダクト３４Ａまたは後述のダクト６１Ａに、吸着段階および再生段階に対応して、選択的に接続する。切替弁３１Ｂは、ダクト３３Ｂを、ダクト３４Ｂまたは後述のダクト６１Ｂに、吸着段階および再生段階に対応して、選択的に接続する。
【００３９】
第２給気流路３０Ａは、吸着熱交換型エレメント１０Ａの吸着層１１の排気口１１２から、ダクト３３Ａ、切替弁３１Ａ、ダクト３４Ａ、および冷却コイル３２を通って、室内２に至る。
第２給気流路３０Ｂは、吸着熱交換型エレメント１０Ｂの吸着層１１の排気口１１２から、ダクト３３Ｂ、切替弁３１Ｂ、ダクト３４Ｂ、および冷却コイル３２を通って、室内２に至る。
【００４０】
第１排気流路４０Ａ、４０Ｂは、室内２から各吸着熱交換型エレメント１０Ａ、１０Ｂの放熱層１２の給気口１２１に至る流路である。
【００４１】
具体的には、第１排気流路４０Ａ、４０Ｂは、送風ファン４１と、上述の顕熱交換器２２と、切替弁４２と、送風ファン４１から顕熱交換器２２に至るダクト４３と、顕熱交換器２２から切替弁４２に至るダクト４４と、切替弁４２から各吸着熱交換型エレメント１０Ａ、１０Ｂのそれぞれの放熱層１２の給気口１２１に至るダクト４５Ａ、４５Ｂと、を備える。
切替弁４２は、ダクト４４を、ダクト４５Ａまたはダクト４５Ｂに選択的に接続する。
【００４２】
第１排気流路４０Ａは、室内２から、送風ファン４１、ダクト４３、顕熱交換器２２、ダクト４４、切替弁４２、およびダクト４５Ａを通って、吸着熱交換型エレメント１０Ａの放熱層１２の給気口１２１に至る。
第１排気流路４０Ｂは、室内２から、送風ファン４１、ダクト４３、顕熱交換器２２、ダクト４４、切替弁４２、およびダクト４５Ｂを通って、吸着熱交換型エレメント１０Ｂの放熱層１２の給気口１２１に至る。
【００４３】
第２排気流路５０Ａ、５０Ｂは、一方の吸着熱交換型エレメント１０Ａの放熱層１２の排気口１２２から、他方の吸着熱交換型エレメント１０Ｂの吸着層１１の給気口１１１に至るとともに、他方の吸着熱交換型エレメント１０Ｂの放熱層１２の排気口１２２から、一方の吸着熱交換型エレメント１０Ａの吸着層１１の給気口１１１に至る流路である。
【００４４】
具体的には、第２排気流路５０Ａ、５０Ｂは、熱発生機器５１と、加熱コイル５２と、切替弁５３と、各吸着熱交換型エレメント１０Ａ、１０Ｂの放熱層１２の排気口１２２から合流して熱発生機器５１に至るダクト５４Ａ、５４Ｂと、熱発生機器５１から加熱コイル５２に至るダクト５５と、加熱コイル５２から切替弁５３に至るダクト５６と、切替弁５３から切替弁２４Ａ、２４Ｂに至るダクト５７Ａ、５７Ｂと、上述のダクト２８Ａ、２８Ｂと、を備える。
切替弁５３は、ダクト５６を、ダクト５７Ａまたはダクト５７Ｂに選択的に接続する。
熱発生機器５１とは、太陽熱や機器の排熱などである。この太陽熱は、例えば、建物の外壁または窓の照射する太陽熱や太陽熱集熱器による太陽熱である。
【００４５】
第２排気流路５０Ａは、吸着熱交換型エレメント１０Ｂの放熱層１２の排気口１２２から、ダクト５４Ｂ、熱発生機器５１、ダクト５５、加熱コイル５２、ダクト５６、切替弁５３、ダクト５７Ａ、切替弁２４Ａ、およびダクト２８Ａを通って、吸着熱交換型エレメント１０Ａの吸着層１１の給気口１１１に至る。
【００４６】
第２排気流路５０Ｂは、吸着熱交換型エレメント１０Ａの放熱層１２の排気口１２２から、ダクト５４Ａ、熱発生機器５１、ダクト５５、加熱コイル５２、ダクト５６、切替弁５３、ダクト５７Ｂ、切替弁２４Ｂ、およびダクト２８Ｂを通って、吸着熱交換型エレメント１０Ｂの吸着層１１の給気口１１１に至る。
【００４７】
また、切替弁２４Ａ、２４Ｂは、第１給気流路２０Ａ、２０Ｂと第２排気流路５０Ａ、５０Ｂを切り替えることになる。
【００４８】
第３排気流路６０Ａ、６０Ｂは、各吸着熱交換型エレメント１０Ａ、１０Ｂの吸着層１１の排気口１１２から外部３に至る流路である。
具体的には、第３排気流路６０Ａ、６０Ｂは、上述のダクト３３Ａ、３３Ｂと、切替弁３１Ａ、３１Ｂと、切替弁３１Ａ、３１Ｂから合流して外部３に至るダクト６１Ａ、６１Ｂを備える。
【００４９】
第３排気流路６０Ａは、吸着熱交換型エレメント１０Ａの吸着層１１の排気口１１２から、ダクト３３Ａ、切替弁３１Ａ、およびダクト６１Ａを通って、外部３に至る。
第３排気流路６０Ｂは、吸着熱交換型エレメント１０Ｂの吸着層１１の排気口１１２から、ダクト３３Ｂ、切替弁３１Ｂ、およびダクト６１Ｂを通って、外部３に至る。
また、切替弁３１Ａ、３１Ｂは、第２給気流路３０Ａ、３０Ｂと第３排気流路６０Ａ、６０Ｂを切り替えることになる。
【００５０】
次に、吸着熱交換型エレメント１０Ａの吸着層１１で吸湿して、吸着熱交換型エレメント１０Ｂの吸着層１１を再生する手順について、図３を参照しながら説明する。なお、図３では、理解の容易のため、使用しない流路は省略する。
【００５１】
まず、切替弁２３、２４Ａ、２４Ｂ、３１Ａ、３１Ｂ、４２、５３を以下のように切り替えておく。
切替弁２３は、ダクト２６をダクト２７Ａに接続しておく。
切替弁２４Ａは、ダクト２７Ａをダクト２８Ａに接続しておく。切替弁２４Ｂは、ダクト５７Ｂをダクト２８Ｂに接続しておく。
切替弁３１Ａは、ダクト３３Ａをダクト３４Ａに接続しておく。切替弁３１Ｂは、ダクト３３Ｂをダクト６１Ｂに接続しておく。
切替弁４２は、ダクト４４をダクト４５Ａに接続しておく。
切替弁５３は、ダクト５６をダクト５７Ｂに接続しておく。
【００５２】
次に、送風ファン２１および送風ファン４１を駆動する。
すると、外気は、送風ファン２１で吸引されて、外部３から、第１給気流路２０Ａを通って、顕熱交換器２２に流入する。この外気は、顕熱交換器２２にて、ダクト４３を流通する室内空気と熱交換して冷却されて、その後、第１給気流路２０Ａを通って、吸着熱交換型エレメント１０Ａの吸着層１１の給気口１１１に至る。
【００５３】
次に、この外気は、吸着熱交換型エレメント１０Ａの吸着層１１にて除湿され、第２給気流路３０Ａを通って、冷却コイル３２に至る。この空気は、冷却コイル３２によりさらに冷却されて、室内２に供給される。
【００５４】
一方、室内空気は、送風ファン４１で吸引されて、室内２から、第１排気流路４０Ａを通って、顕熱交換器２２に流入する。この室内空気は、顕熱交換器２２にて、ダクト２５を流通する外気と熱交換して、その後、第１排気流路４０Ａを通って、吸着熱交換型エレメント１０Ａの放熱層１２の給気口１２１に至る。
【００５５】
次に、この空気は、吸着熱交換型エレメント１０Ａの放熱層１２にて、吸着層１１で発生した熱により暖められ、その後、第２排気流路５０Ｂを通って、吸着熱交換型エレメント１０Ｂの吸着層１１の給気口１１１に至る。このとき、この空気は、熱発生機器５１や加熱コイル５２により適宜暖められる。
【００５６】
次に、この暖められた空気は、吸着熱交換型エレメント１０Ｂの吸着層１１にて、吸着した水分を回収し、その後、第３排気流路６０Ｂを通って、外部３に排出される。
【００５７】
次に、吸着熱交換型エレメント１０Ａの吸着層１１を再生して、吸着熱交換型エレメント１０Ｂの吸着層１１で吸湿する手順について、図４を参照しながら説明する。なお、図４では、理解の容易のため、使用しない流路は省略する。
【００５８】
まず、切替弁２３、２４Ａ、２４Ｂ、３１Ａ、３１Ｂ、４２、５３を以下のように切り替えておく。
切替弁２３は、ダクト２６をダクト２７Ｂに接続しておく。
切替弁２４Ａは、ダクト５７Ａをダクト２８Ｂに接続しておく。切替弁２４Ｂは、ダクト２７Ｂをダクト２８Ｂに接続しておく。
切替弁３１Ａは、ダクト３３Ａをダクト６１Ａに接続しておく。切替弁３１Ｂは、ダクト３３Ｂをダクト３４Ｂに接続しておく。
切替弁４２は、ダクト４４をダクト４５Ｂに接続しておく。
切替弁５３は、ダクト５６をダクト５７Ａに接続しておく。
【００５９】
次に、送風ファン２１および送風ファン４１を駆動する。
すると、外気は、送風ファン２１で吸引されて、外部３から、第１給気流路２０Ｂを通って、顕熱交換器２２に流入する。この外気は、顕熱交換器２２にて、ダクト４３を流通する室内空気と熱交換して冷却されて、その後、第１給気流路２０Ｂを通って、吸着熱交換型エレメント１０Ｂの吸着層１１の給気口１１１に至る。
【００６０】
次に、この外気は、吸着熱交換型エレメント１０Ｂの吸着層１１にて除湿され、第２給気流路３０Ｂを通って、冷却コイル３２に至る。この空気は、冷却コイル３２によりさらに冷却されて。室内２に供給される。
【００６１】
一方、室内空気は、送風ファン４１で吸引されて、室内２から、第１排気流路４０Ｂを通って、顕熱交換器２２に流入する。この室内空気は、顕熱交換器２２にて、ダクト２５を流通する外気と熱交換して、その後、第１排気流路４０Ｂを通って、吸着熱交換型エレメント１０Ｂの放熱層１２の給気口１２１に至る。
【００６２】
次に、この空気は、吸着熱交換型エレメント１０Ａの放熱層１２にて、吸着層１１で発生した熱により暖められ、その後、第２排気流路５０Ａを通って、吸着熱交換型エレメント１０Ａの吸着層１１の給気口１１１に至る。このとき、この空気は、熱発生機器５１や加熱コイル５２により適宜暖められる。
【００６３】
次に、この暖められた空気は、吸着熱交換型エレメント１０Ａの吸着層１１にて、吸着した水分を回収し、その後、第３排気流路６０Ａを通って、外部３に排出される。
【００６４】
本実施形態によれば、以下のような効果がある。
（１）空調システム１は、一方の吸着熱交換型エレメント１０Ａを除湿段階とし、他方の吸着熱交換型エレメント１０Ｂを再生段階とする場合、一方の吸着熱交換型エレメント１０Ａの放熱層１２から排熱されるため、この排熱を利用して空気を暖めて、他方の吸着熱交換型エレメント１０Ｂの吸着層１１の再生に利用する。
【００６５】
また、一方の吸着熱交換型エレメント１０Ａを再生段階とし、他方の吸着熱交換型エレメント１０Ｂを除湿段階とする場合、他方の吸着熱交換型エレメント１０Ｂの放熱層１２から排熱されるため、この排熱を利用して空気を暖めて、一方の吸着熱交換型エレメント１０Ａの吸着層１１の再生に利用する。
【００６６】
以上のように、どちらかの吸着熱交換型エレメント１０Ａ、１０Ｂの放熱層１２の排熱を、残る吸着熱交換型エレメント１０Ａ、１０Ｂの吸着層１１の再生に利用するので、加熱コイル５２などの熱源機器の出力や稼働時間を削減できるから、吸着熱交換型エレメント１０Ａ、１０Ｂを低い運転コストでかつ効率的に吸着したり再生したりできる。また、吸着層１１で発生する吸着熱を放熱層１２で排熱するため、室２に吹き出す空気の温度を低減することができる。よって、外気を冷却するための冷却コイル３２の出力や稼働時間を削減できるから、運転コストを削減できる。
【００６７】
（２）顕熱交換器２２にて、第１給気流路２０Ａ、２０Ｂを通る外気と、第１排気流路４０Ａ、４０Ｂを通る空気つまり室内２から排出される空気と、で熱交換することで、外気を冷却した。よって、外気を冷却するための冷却コイル３２の出力や稼働時間を削減できるから、運転コストをさらに削減できる。
【００６８】
なお、本発明は前記実施形態に限定されるものではなく、本発明の目的を達成できる範囲での変形、改良等は本発明に含まれるものである。
【符号の説明】
【００６９】
１…空調システム
２…室内
３…外部
１０Ａ、１０Ｂ…吸着熱交換型エレメント
１１…吸着層
１２…放熱層
２０Ａ、２０Ｂ…第１給気流路
２１…送風ファン
２２…顕熱交換器
２３…切替弁
２４Ａ、２４Ｂ…切替弁（第１切替弁）
２５…ダクト
２６…ダクト
２７Ａ、２７Ｂ…ダクト
２８Ａ、２８Ｂ…ダクト
３０Ａ、３０Ｂ…第２給気流路
３１Ａ、３１Ｂ…切替弁（第２切替弁）
３２…冷却コイル
３３Ａ、３３Ｂ…ダクト
３４Ａ、３４Ｂ…ダクト
４０Ａ、４０Ｂ…第１排気流路
４１…送風ファン
４２…切替弁
４３…ダクト
４４…ダクト
４５Ａ、４５Ｂ…ダクト
５０Ａ、５０Ｂ…第２排気流路
５１…熱発生機器
５２…加熱コイル
５３…切替弁
５４Ａ、５４Ｂ…ダクト
５５…ダクト
５６…ダクト
５７Ａ、５７Ｂ…ダクト
６０Ａ、６０Ｂ…第３排気流路
６１Ａ、６１Ｂ…ダクト
１１１…吸着層の給気口
１１２…吸着層の排気口
１２１…放熱層の給気口
１２２…放熱層の排気口
【図１】
2016053448.tif 000003
【図２】
2016053448.tif 000004
【図３】
2016053448.tif 000005
【図４】
2016053448.tif 000006